(57)【要約】      （修正有） 【課題】バリエーションに富んだ背景を短時間で作り出し、より個性的な撮影を可能とした、写真撮影編集装置を提供する。【解決手段】撮影空間内の被写体を撮影して撮影画像を作成する写真撮影編集装置に、前記撮影空間の周面の少なくとも一部を形成し通電制御によって視認色が変化する調光部材と、該調光部材への通電制御を実行する通電制御手段とを備えた。【選択図】図８
2005274657.tif 000002
【特許請求の範囲】
【請求項１】
撮影空間内の一以上の被写体を撮影手段で撮影して撮影画像を作成する撮影処理を許容し、
該撮影画像、又は／及び他の取得手段で取得の取得画像等の編集対象画像に、利用者が編集手段で編集して編集画像を作成する編集処理を許容し、
所定の画像を出力手段で出力する写真撮影編集方法であって、
前記撮影空間の周面の少なくとも一部を形成し通電制御によって視認色が変化する調光部材を、
通電制御手段で通電制御する
写真撮影編集方法。
【請求項２】
前記調光部材の設置位置を、
前記撮影手段で被写体を撮影する際に該被写体の後方の背景として撮影される背景位置に設定し、
前記撮影手段の撮影方向へ前記調光部材と重ねて備えた背景演出手段で被写体の背景を演出する
請求項１記載の写真撮影編集方法。
【請求項３】
前記通電制御手段で、利用者によるプレイに関して予め定めた所定タイミングで通電制御を実行する
請求項１又は２記載の写真撮影編集方法。
【請求項４】
画像投影手段で前記調光部材に画像を投影する
請求項１、２、又は３記載の写真撮影編集方法。
【請求項５】
撮影空間内の一以上の被写体を撮影して撮影画像を作成する撮影処理が実行可能な撮影手段と、
該撮影画像、又は／及び他の取得手段で取得の取得画像といった編集対象画像を編集して編集画像を作成する編集処理が実行可能な編集手段と、
所定の画像を出力する出力処理が実行可能な出力手段とを備えた写真撮影編集装置であって、
前記撮影空間の周面の少なくとも一部を形成し通電制御によって視認色が変化する調光部材と、
該調光部材への通電制御を実行する通電制御手段とを備えた、
写真撮影編集装置。
【請求項６】
前記調光部材の設置位置を、
前記撮影手段で被写体を撮影する際に該被写体の後方の背景として撮影される背景位置に設定し、
被写体の背景を演出する背景演出手段を、前記撮影手段の撮影方向へ前記調光部材と重ねて備えた
請求項５記載の写真撮影編集装置。
【請求項７】
前記通電制御手段を、利用者によるプレイに関して予め定めた所定タイミングで通電制御を実行する設定とした
請求項５又は６記載の写真撮影編集装置。
【請求項８】
前記調光部材に画像を投影する画像投影手段を備えた
請求項５、６、又は７記載の写真撮影編集装置。
【発明の詳細な説明】
【技術分野】
【０００１】
この発明は、例えば被写体を撮影した撮影画像を編集して編集画像を得、該編集画像を写真シールシートとして出力するような写真撮影編集方法及びその装置に関する。
【背景技術】
【０００２】
従来、ＣＣＤカメラで撮影を行い、この撮影画像を編集して編集画像を作成し、この編集画像をシール紙等に印刷する写真撮影編集装置が提供されている。
【０００３】
このような写真撮影編集装置は、撮影画像の背景用として筐体内にカーテンを設置しており、利用者の操作によって好みの色を選択可能にしている。また、利用者は様々なライティング効果を選択することによって美白等の効果を得ることができ、高解像度のＣＣＤカメラの性能を生かした高画質の撮影を行うことができる。さらにその撮影画像を表示した液晶パネル上に利用者が付属ペン・指・スタンプ等を用いて、任意あるいは所定の文字・図形等の書き込みや編集を行うことにより、個性的な編集画像を作成してシール紙に印刷することができる。
【０００４】
最近では、変化に富んだ撮影ができる機種として、背景用のカーテンとして巻取装置を備えたロールカーテンを模様を異ならせて複数備え、ロールカーテンの巻取りによって背景を選択できる写真撮影編集装置が提案されている（特許文献１参照）。
【０００５】
また、被写体とカメラとの間に、撮影範囲内に被写体を露出させることができる開口部が形成された仕切スクリーンを複数種類設け、選択された仕切スクリーンの開口部から露出した被写体の部分を仕切スクリーンとともに撮影する写真撮影編集装置も提案されている（特許文献２参照）。
【０００６】
この写真撮影編集装置は、被写体の前景として仕切スクリーンや開口部が写り込み、従来は不可能であった特殊な撮影結果を得ることができるようにされている。
【０００７】
しかし、上述したような写真撮影編集装置では、筐体内における背景部分の占有面積が増加するため、利用者の好みに合わせて多数の機種を設置していることが多いゲームセンターでは、筐体の設置サイズが限られていることから、好まれないものであった。
【０００８】
また、利用者層の大半を占める女子高生は多人数で撮影や落書きをすることが殆んどであり、撮影空間や編集空間が広い方が好まれるが、背景部分の占有面積が増加すると十分な空間を確保できない問題があった。
【０００９】
さらには、ロールカーテンや仕切スクリーンを選択するためには、巻取りや繰出しといった上下動の動作が必要であったため、その間に待ち時間が発生する問題があった。
【００１０】
このため、１プレイの時間を長くするか、あるいはプレイ中の撮影時間や編集時間を短くすることとなり、客回転率の向上とプレイ時間の長さによる利用者の満足度向上との調整を妨げる問題があった。
【００１１】
【特許文献１】特開２００３−２８００８３号公報
【特許文献２】特許第３４７９０６７号公報
【発明の開示】
【発明が解決しようとする課題】
【００１２】
この発明は、上述の問題に鑑み、筐体内においてカーテンを設置できる限られた範囲の中で、バリエーションに富んだ背景を短時間で作り出し、より個性的な撮影を可能とした、写真撮影編集装置を提供することを目的とする。
【課題を解決するための手段】
【００１３】
この発明は、撮影空間内の一以上の被写体を撮影手段で撮影して撮影画像を作成する撮影処理を許容し、該撮影画像、又は／及び他の取得手段で取得の取得画像等の編集対象画像に、利用者が編集手段で編集して編集画像を作成する編集処理を許容し、所定の画像を出力手段で出力する写真撮影編集方法又はその装置であって、前記撮影空間の周面の少なくとも一部を形成し通電制御によって視認色が変化する調光部材を、通電制御手段で通電制御する写真撮影編集方法又はその装置であることを特徴とする。
【００１４】
前記撮影空間は、撮影用に利用者に提供する空間を指し、前記撮影手段で撮影可能な範囲の空間、又は、背景部材や出入り口部材等の周景部材で囲繞（若しくは略囲繞）した空間で構成することを含む。
【００１５】
前記撮影手段は、デジタルカメラ又はデジタルビデオカメラで構成することを含む。  
前記編集手段は、利用者にタッチペン又は指でタッチされた座標を取得するタッチパネルやマウス等のポインティングデバイス（座標入力手段）で構成することを含む。
【００１６】
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することを含む。
【００１７】
前記取得画像は、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することを含む。
【００１８】
前記編集対象画像は、前記撮影画像又は／及び前記取得画像で構成することを含む。
【００１９】
前記所定の画像は、前記撮影画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００２０】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷媒体（粘着層を備えたシール紙等）に印刷する印刷手段、画像データを送信する通信手段、又は画像データを記憶媒体に書き込む記憶媒体リーダ／ライタで構成することを含む。
【００２１】
前記周面は、撮影空間を外界と仕切る撮影空間側の面で構成することを含む。  
前記調光部材は、非通電状態では不透明色（例えば白色）又は半透明色（例えば乳白色）で、通電すると透明色となる又は所定色（例えば青色や赤色等）に発光するエレクトロルミネセンスで形成した板状体等、通電によって調光可能な部材で構成することを含む。
【００２２】
通電制御手段は、電圧の印加の実行／停止等、通電の制御を行う装置で構成することを含む。
【００２３】
前記構成により、通電によって調光部材の視認色を変化させることができる。  
従って、通電により調光部材で演出する背景色を短時間で変更することが可能となる。  
また、写真撮影編集装置がプレイされていない間は調光部材を透明にし、プレイ時は不透明にして、安全性とプライバシー保護とを両立することが可能となる。
【００２４】
この発明の態様として、前記調光部材の設置位置を、前記撮影手段で被写体を撮影する際に該被写体の後方の背景として撮影される背景位置に設定し、前記撮影手段の撮影方向へ前記調光部材と重ねて備えた背景演出手段で被写体の背景を演出することができる。
【００２５】
前記背景演出手段は、繰出し／巻上げが可能なロールカーテン、又は平面視ループ状のカーテンで左右方向に回転させて撮影面を変更可能なループカーテン等、背景を演出する装置で構成することを含む。
【００２６】
上記ロールカーテン及びループカーテンは、手動で駆動する手動タイプ、又は電動駆動する自動タイプで構成することを含む。  
また上記ロールカーテンは、１つ備える、又は撮影手段の撮影方向に多段に複数備えることを含む。
【００２７】
前記調光部材と前記背景演出手段の配置は、調光部材を撮影手段側にして重ねる、あるいは背景演出手段を撮影手段側にして重ねることを含み、互いに適度の間隔を隔てて備えることを含む。  
前記構成により、被写体の背景を様々に演出することができる。
【００２８】
またこの発明の態様として、前記通電制御手段で、利用者によるプレイに関して予め定めた所定タイミングで通電制御を実行することができる。  
これにより、プレイの進行に合わせて通電制御を行うことができる。従って、例えば撮影の瞬間までは調光部材を不透明にしておき、撮影の瞬間若しくは直前からに調光部材を透明にして、予想しなかった背景による意外な撮影画像を取得できるようにし、アミューズメント性を高めるといったことができる。
【００２９】
また、プレイ前は調光部材を透明にして不使用であることが容易にわかるようにしておき、プレイ開始と共に調光部材を不透明にしてプレイ中の利用者のプライバシーを保護するといったこともできる。
【００３０】
またこの発明の態様として、画像投影手段で前記調光部材に画像を投影することができる。  
前記画像投影手段は、画像を投射するプロジェクタや映写機等、画像を投影する装置で構成することを含む。  
前記構成により、調光部材での視認色の変化に加えて、調光部材に画像を投影することができ、背景演出等の変化を増加させてアミューズメント性を向上することができる。
【発明の効果】
【００３１】
この発明により、バリエーションに富んだ背景を短時間で作り出し、より個性的な撮影を可能とすることができる。
【発明を実施するための最良の形態】
【００３２】
この発明の一実施形態を以下図面と共に説明する。  
【実施例１】
【００３３】
まず、図１に示す表側から見た写真シール作成機１の斜視図、及び図２に示す裏側から見た写真シール作成機１の斜視図と共に、写真シール作成機１の外観構成について説明する。
【００３４】
写真シール作成機１は、ボックス状に形成した枠体２内に撮影空間４を設け、撮影空間４の正面側（図示右上となる奥側）に筐体１０を備えると共に、撮影空間４の背面側（図示左下となる手前側）に背景演出空間５を備える。
【００３５】
筐体１０は、中央に撮影用モニタ２３ａを備えてその上部位置に上下移動、前後揺動及び回転（前後方向を軸芯とした横回転）が可能なＣＣＤカメラ１９を備える。
【００３６】
撮影用モニタ２３ａには、タッチパネル１７ｂを重ねて設け、その両横に備えたタッチペン１７ａ，１７ａによるタッチ入力を許容する。
【００３７】
ＣＣＤカメラ１９及び撮影用モニタ２３ａの両横には、筐体１０と同程度の高さで筐体１０の１／４程度の幅の正面照明装置２２ａ，２２ａを左右に配設している。
【００３８】
正面照明装置２２ａは、ボックス状に形成しており、正面を白色半透明の拡散板で形成し、他の面を内面を白色塗装の反射面に形成すると共に、内部には反射板へ向って閃光するストロボ発光体、及び蛍光灯を備えて、白色の面光による略均一光で被写体を照明する。
【００３９】
モニタ２３の下方位置には、コインを投入するコイン投入口１４ａ、及びコインを返却するコイン返却口１４ｂを備える。  
筐体１０の右側面には、完成した写真シールシートを排出する写真シールシート排出口２７ａを備える。
【００４０】
筐体１０の背面側（裏側）には、図２の裏側から見た斜視図に示すように、中央に編集用モニタ２３ｄを備えている。  
編集用モニタ２３ｄには、タッチパネル１７ｅを重ねて設け、その両横に備えたタッチペン１７ｄ，１７ｄでタッチ入力を許容する。
【００４１】
また、筐体１０の背面側には編集空間７を備え、利用者が撮影画像に編集を行える空間を確保している。この編集空間７は開放空間で良いが、適宜のカーテン等の部材で囲繞しても良い。
【００４２】
撮影空間４は、図１に示すように背面側の全面に背景調光ガラス１６ａを備え、側面の背景側（図示手前側）の反面に側面調光ガラス１６ｂ，１６ｂを備え、側面の正面側（図示奥側）に出入口調光ガラス１６ｃ，１６ｃを備える。
【００４３】
この背景調光ガラス１６ａ、側面調光ガラス１６ｂ及び出入口調光ガラス１６ｃにより、撮影空間４の筐体１０を備えた正面以外の周囲を囲繞して撮影画像における周景を構成している。
【００４４】
すなわち、基本的な正面の撮影では背景調光ガラス１６ａが背景となって周景を構成するが、ＣＣＤカメラ１９の位置変更や撮影角度変更によっては側面調光ガラス１６ｂや出入口調光ガラス１６ｃも周景を構成する。
【００４５】
なお、出入口調光ガラス１６ｃは、アコーディオン式に開閉できる出入り口で形成しているが、引き戸形式で入退室可能に形成しても良い。
【００４６】
撮影空間４の天井には不透明の天井板３を備える。  
背景調光ガラス１６ａの背面側に備えた背景演出空間５は、背面側に透明の外壁シート６を備え、天井部にカーテン装置１５を備えている。
【００４７】
カーテン装置１５は、カーテン１５ａを電動駆動により巻上げ、繰出しできるロールカーテンであり、繰出し状態でのカーテン１５ａが背景調光ガラス１６ａと平行になるように備えている。
【００４８】
背景演出空間５の背面側には、側部の枠体２にバックライトとなる背景照明装置２２ｂ，２２ｂを配設し、背景調光ガラス１６ａを背面側から白色光で照明するように備えている。
【００４９】
以上の構成により、利用者はコイン投入口１４ａからコインを投入してプレイを開始し、撮影空間４でＣＣＤカメラ１９による撮影を行い、編集空間７で撮影画像を編集し、編集画像を印刷した写真シールシートを写真シールシート排出口２７ａから取得することができる。
【００５０】
撮影の際には、背景調光ガラス１６ａ及びカーテン装置１５により背景の演出ができる。また、撮影の際には側面調光ガラス１６ｂ及び出入口調光ガラス１６ｃを不透明として、撮影ポーズをとる利用者のプライバシーを保護することができる。
【００５１】
次に、調光ガラス１６（１６ａ，１６ｂ，１６ｃ）の構造について、図３に示す説明図と共に説明する。
【００５２】
調光ガラス１６は、（Ａ）の側面断面図に示すように、中央に液晶シート１６３を備え、その両面に透明の電極膜１６２，１６２をそれぞれ備え、さらにその外側両面をフロート板ガラス１６１，１６１で挟み圧着して形成する。
【００５３】
液晶シート１６３には、無通電時には液晶分子が不揃いとなって光の透過を遮り不透明となり、通電時には液晶分子が揃うことにより光を透過して透明となるエレクトロルミネセンスを使用している。
【００５４】
以上の構造により、電極膜１６２，１６２から液晶シート１６３に通電して電圧を印加すると、調光ガラス１６は１／１０００秒程度で瞬時に透明となり、通電を停止して電圧の印加を停止すると、調光ガラス１６は１／１００秒程度で瞬時に不透明となる。
【００５５】
なお、背景調光ガラス１６ａについては、（Ｂ）の正面図に仮想線で示すように、最上領域ａ１、中上領域ａ２、中下領域ａ３、及び最下領域ａ４として、上下方向へ４つの領域に略均等に分割している。
【００５６】
これにより、各領域単位で通電／無通電を切替えて透明／不透明を切替えられるように構成しており、背景の演出のバリエーションを増加できるようにしている。
【００５７】
次に、図４に示すブロック図と共に、写真シール作成機１の構成について説明する。  
写真シール作成機１は、ＣＰＵ、ＲＯＭ、及びＲＡＭで構成する制御装置１２に接続して、記憶装置１１、コイン処理装置１４、カーテン装置１５、調光ガラス１６、入力装置１７、ＣＣＤカメラ１９、照明装置２２、モニタ２３、及びプリンタユニット２５を備えている。
【００５８】
コイン処理装置１４は、投入されたコインの金種判別及び真偽判別を行い、予め定められた所定金額のコイン投入口１４ａへの投入を確認すると起動信号を制御装置１２に送信する。
【００５９】
カーテン装置１５は、駆動装置としてモータを内蔵しており、制御装置１２からの制御信号に従ってカーテン１５ａ（図１）の巻上げ／繰出しを行う。  
また、モータの回転数を入力信号として制御装置１２に送信し、制御装置１２でカーテン１５ａの繰出し量を調整する。
【００６０】
さらに、カーテン装置１５はＩＤタグリーダ／ライタを備えており、装着されたロールカーテンの色や種類といったデータをロールカーテンに備えたＩＤタグから無線通信で読取り、これを入力信号として制御装置１２に送信する。
【００６１】
調光ガラス１６は、制御装置１２からの通電信号に従って、通電されれば透明となり、無通電では不透明となる。  
入力装置１７は、タッチペン１７ａ及びタッチパネル１７ｂで構成する撮影用入力装置と、タッチペン１７ｄ及びタッチパネル１７ｅで構成する編集用入力装置とで構成し、タッチペンでタッチされたタッチパネルの座標を入力信号として制御装置１２に送信する。
【００６２】
記憶装置１１は、制御装置１２から受信した設定情報を保存し、保存している設定情報の制御装置１２による読み込みを許容する。  
ＣＣＤカメラ１９は、デジタルカメラ及びデジタルビデオカメラとして機能するＣＣＤカメラで構成しており、制御装置１２からシャッタ信号を受けて被写体である利用者の静止画像を撮影し、撮影画像を画像データとして制御装置１２に送信する。  
なお、撮影前のプレビュー確認等の際には、利用者の様子を動画像で撮影し、該動画像を画像データとして制御装置１２に送信する。
【００６３】
照明装置２２は、正面照明装置２２ａ及び背景照明装置２２ｂで構成しており、制御装置１２から照明制御信号を受けてストロボ発光体の閃光や蛍光灯の点灯／消灯を行う。
【００６４】
撮影のシャッタ時には、正面照明装置２２ａのストロボの閃光により被写体である利用者を略均一に面光で照明し、それ以外は正面照明装置２２ａの蛍光灯の点灯により撮影空間４を明るくすると共に照明イメージを確認可能にする。  
また、必要に応じて背景照明装置２２ｂにより背景調光ガラス１６ａを背面側から照明し、撮影する利用者の背景を演出する。
【００６５】
モニタ２３は、液晶モニタやＣＲＴモニタ等の表示手段で構成し、制御装置１２から受信するＲＧＢ信号に従って文字や画像をカラーで表示する。  
プリンタユニット２５は、ＩＤタグリーダ／ライタ（識別手段）２６及びプリンタ２７で構成する。
【００６６】
ＩＤタグリーダ／ライタ２６は、シール紙ユニット３１に備えたＩＤタグ（識別体）３２と非接触でデータ通信を実行する。制御装置１２から設定情報書き込み信号を受信してＩＤタグ３２に設定情報の書き込みを実行し、ＩＤタグ３２から読み込んだ設定情報を設定情報読み込み信号として制御装置１２に送信する。
【００６７】
プリンタ２７は、制御装置１２から受信する印刷データに従って、シール紙ユニット３１に備えたシール紙３３にカラー印刷を行う。  
なお、該シール紙３３は、印刷可能層の裏側に粘着層を備え、該粘着層に剥離紙で構成する剥離層を装着したシール紙等、貼付可能媒体で構成する印刷媒体としている。
【００６８】
以上の構成により、写真シール作成機１は、制御装置１２の制御によって各装置を駆動し、撮影、編集、写真シールシートの印刷といった処理を実行することができる。
【００６９】
撮影の際には、背景調光ガラス１６ａ及びカーテン装置１５を駆動して背景を演出することができ、また側面調光ガラス１６ｂ及び出入口調光ガラス１６ｃを不透明にして撮影の様子が外から見えないようにすることができる。
【００７０】
次に、図５、図６に示す写真シール作成機１の制御装置１２の動作を示す処理フロー図と共に、写真シール作成機１の動作について説明する。  
制御装置１２は、利用者によって規定量のコインがコイン投入口１４ａ（図１）に投入されるまで待機し（ステップｎ１）、規定量のコインが投入されると、プレイを開始して非通電処理を実行する（ステップｎ２）。
【００７１】
このとき、プレイ前は通電していた全ての調光ガラス１６（背景調光ガラス１６ａ、側面調光ガラス１６ｂ、出入口調光ガラス１６ｃ）に対しての通電を停止し、調光ガラス１６の光の透過度を変化させて不透明にする。
【００７２】
制御装置１２は撮影処理を実行し（ステップｎ３）、利用者に対してＣＣＤカメラ１９による撮影を許容する。  
撮影処理では、図６の処理フロー図に示すように、まず図７の画面イメージ図に示す背景選択画面２３１を撮影用モニタ２３ａに表示する（ステップｐ１）。
【００７３】
背景選択画面２３１は、複数の背景画像（２３１ｂ，２３１ｃ，２３１ｇ，２３１ｈ）を表示し、利用者にカーソル２３１ａで選択させる。  
表示している背景画像の例は、次の通りである。
【００７４】
背景画像２３１ｂは、背景調光ガラス１６ａを透明とし、カーテン１５ａを全て繰出して下まで降ろした状態での背景を表示する。  
背景画像２３１ｃは、背景調光ガラス１６ａを不透明とし、カーテン１５ａを全て繰出して下まで降ろした状態での背景を表示する。
【００７５】
背景画像２３１ｇは、背景調光ガラス１６ａの最上領域ａ１及び中上領域ａ２を透明にし、中下領域ａ３及び最下領域ａ４を不透明にして、カーテン１５ａを全て繰出して下まで降ろした状態での背景を表示する。  
背景画像２３１ｈは、背景調光ガラス１６ａの中上領域ａ２及び最下領域ａ４を透明にし、最上領域ａ１及び中下領域ａ３を不透明にして、カーテン１５ａを全て繰出して下まで降ろした状態での背景を表示する。
【００７６】
なお、背景調光ガラス１６ａを不透明としても背景側にあるカーテン１５ａの色が薄く見えるため、例えば青色のカーテン１５ａを使用した場合、背景調光ガラス１６ａを不透明にした背景は薄く青みがかった白色となるため、背景画像のその色で表示する。
【００７７】
背景選択画面２３１に表示しきれていない背景は、スライドボタン２３１ｅをスライドさせて表示させることができ、決定ボタン２３１ｄがタッチされると背景を決定し、取り消しボタン２３１ｆがタッチされると背景選択を終了する。
【００７８】
このようにして背景が利用者に決定されると、制御装置１２は調光ガラス１６をＯＮとするかＯＦＦとするかを判定し（ステップｐ２）、調光ガラスをＯＮとする場合であれば通電フラグをＯＮに設定する（ステップｐ３）。  
ステップｐ２で調光ガラスをＯＦＦとする場合であれば、制御装置１２は通電フラグをＯＦＦに設定し（ステップｐ４）、ステップｐ６に処理を進める。
【００７９】
利用者によって撮影用モニタ２３ａに表示した撮影ボタンがタッチされるか（ステップｐ５）、予め定めた所定期間（例えば５秒以上）が経過すると（ステップｐ６）、制御装置１２は通電フラグがＯＮか否かを確認する（ステップｐ７）。
【００８０】
通電フラグがＯＮであれば、制御装置１２は通電処理を行い、背景調光ガラス１６ａの各領域のうち、選択された背景に対応して透明にすべき領域に通電してその領域を透明にし、不透明にすべき領域を非通電にしてその領域は不透明にする（ステップｐ８）。
【００８１】
前記ステップｐ７で通電フラグがＯＦＦであった場合は、全ての領域が不透明な背景が選択された場合であるため、非通電処理を実行して背景調光ガラス１６ａを全面不透明にする（ステップｐ９）。
【００８２】
制御装置１２は、ＣＣＤカメラ１９によりシャッタが下りたタイミングで利用者を撮影し（ステップｐ１０）、撮影した撮影画像を保存する画像保存処理を実行する（ステップｐ１１）。
【００８３】
撮影画像の保存枚数が規定枚数（例えば８枚）を越える場合は（ステップｐ１２）、撮影処理を終了し、規定枚数以下の場合は、予め定めた所定の制限時間までステップｐ１にリターンする（ステップｐ１３）。  
このステップｐ１３で制限時間（例えば２分）に達したときは、制御装置１２は撮影処理を終了する。
【００８４】
このようにして撮影処理を終了すると、図５に示すように全ての調光ガラス１６に対して通電処理を行い（ステップｎ４）、背景調光ガラス１６ａ、側面調光ガラス１６ｂ、及び出入口調光ガラス１６ｃの光の透過度を変化させて透明にする。このとき、編集空間７で編集ができる旨を利用者にアナウンスする。
【００８５】
制御装置１２は、撮影画像に対してアイテムツールを用いた編集を編集用入力装置（１７ｄ，１７ｅ）で許容する（ステップｎ５）。  
前記アイテムツールとしては、フリーハンドで線が描けるペンツール、用意された画像が貼り付けられるスタンプツール、用意された背景をクロマキー合成処理により利用者の背景として採用できる背景描画ツール等、様々なアイテムツールを提供する。
【００８６】
制御装置１２は、この編集処理を予め定めた制限時間である編集時間（例えば２分）が経過するまで許容する（ステップｎ６）。  
編集処理が終了すると、制御装置１２は印刷処理を実行し（ステップｎ７）、利用者に対して分割数とシールサイズを選択させ、これに従って編集画像を配置して印刷した写真シールシートを排出する。
【００８７】
以上の動作により、図８の説明図に示すように、プレイ前は（Ｅ）に示すように調光ガラス１６を全て透明にしてカーテン装置１５を巻き上げておき、利用されず空いていることが離れた位置からすぐに解り、また防犯性を高めることができる。
【００８８】
利用者にコインが投入されると、（Ｆ）に示すように瞬時に調光ガラス１６が全て不透明となるため、利用者は外部から見えないように遮蔽された撮影空間４で自由なポーズを取ってすぐに撮影することができる。
【００８９】
撮影の際には、例えば背景画像２３１ｈ（図７）が選択された場合であれば、（Ｇ）に示すように背景調光ガラス１６ａの最上領域ａ１及び中下領域ａ３が不透明で白色（僅かに青色）に写り、中上領域ａ２及び最下領域ａ４が透明でカーテン１５ａの色である青色が写る背景を瞬時に得ることができる。
【００９０】
従って、背景調光ガラス１６ａとカーテン１５ａの組み合わせによるバリエーション豊かな背景を、待つことなく瞬時に得ることができる。
【００９１】
撮影が終了すれば、（Ｅ）に示した撮影空間４が外部から見える状態に戻り、利用者を編集空間７へ誘導すると共に、次のプレイが可能となったことが瞬時に解る。
【００９２】
このようにして、密閉された写真シール作成機１が並ぶゲームセンターの暗い雰囲気の空間を、デモ処理による待機中である写真シール作成機１の撮影空間４が見える開放された明るい雰囲気の空間に一新し、利用者に快適な環境を提供することができる。
【００９３】
利用者は、明るい空間で写真シール作成機１を選択することができ、少なくとも撮影処理中は撮影空間４を外界から遮断する調光ガラス（１６ｂ，１６ｃ）が不透明となる調光処理（通電処理及び非通電処理）により、プレイ開始して撮影中は密閉された撮影空間４で回りを気にせず撮影でき、撮影後は明るい編集空間７で編集して写真シールシートを得ることができる。
【００９４】
なお、以上の実施例１では、調光ガラス１６として背景調光ガラス１６ａ、側面調光ガラス１６ｂ、及び出入口調光ガラス１６ｃを用いたが、図８の（Ｈ）に示すように側面調光ガラス１６ｂ及び出入口調光ガラス１６ｃは普通のカーテン９とする構成にしても良い。  
この場合は、図５の処理フローにおいて、ステップｎ２では背景調光ガラス１６ａを不透明にし、ステップｎ４では背景調光ガラス１６ａを透明にすれば良い。
【００９５】
この場合でも、ＣＣＤカメラ１９から見て、背景調光ガラス１６ａ、カーテン１５ａ、及び外壁シート６を多段に構成しているため、背景調光ガラス１６ａは背景演出と安全性確保と撮影中のプライバシー保護の機能を兼ね備えることができる。
【００９６】
すなわち、カーテン装置１５のカーテン１５ａを撮影処理（ステップｎ３）中以外は常に巻き上げておくことで、透明の外壁シート６及び背景調光ガラス１６ａを通して撮影空間４を外部からはっきり見ることができ、デモ画面による待機中であることを容易に理解し、防犯性を確保することができる。
【００９７】
そして、コイン投入によるプレイ開始の際に、瞬時に背景調光ガラス１６ａを不透明にして利用者のプライバシーを保護することができる。  
仮に、カーテン１５ａの巻上げと繰出しにより撮影中の利用者のプライバシーを保護しようとした場合であれば、巻き下ろしが完了するまで外部から見えてしまうが、瞬間に透明／不透明を切替えることができる背景調光ガラス１６ａを利用することで、プレイ開始後に外部から見える状態を排除することができる。  
そして、背景調光ガラス１６ａによるバリエーションの豊富な背景を利用することもできる。
【００９８】
また、外壁シート６を不透明のシートで構成しても良い。この場合でも、非プレイ時は透明の側面調光ガラス１６ｂ又は出入口調光ガラス１６ｃから撮影空間４を見ることができ、安全性を確保することができる。
【００９９】
また、撮影処理における背景選択画面表示（図６のステップｐ１）においては、利用者によってカーソル２３１ａで背景画像が選択される都度、背景調光ガラス１６ａに対する調光処理（通電処理、非通電処理）を実行して確認できる構成としても良い。
【０１００】
この場合は、図６に説明した撮影処理の動作を、ステップｐ３では通電処理を実行し、ステップｐ４では非通電処理を実行する設定として、さらにステップｐ７〜ｐ９を削除した動作に設定すればよい。  
これにより、背景調光ガラス１６ａは瞬時に透明／不透明が切り替わるため、実際の背景を確認しつつ選択することができる。
【０１０１】
この場合、ＣＣＤカメラ１９で利用者の動画映像を取得し、背景選択画面２３１上にプレビュー表示するイメージ確認部を備えると良い。  
これにより、利用者は選択した背景による撮影イメージを確認することができる。
【０１０２】
また、筐体１０の背面側に編集用入力装置（１７ｄ，１７ｅ）を備えず、撮影空間４に編集空間を兼ねさせ、撮影用入力装置（１７ａ，１７ｂ）で編集処理（ステップｎ５）を実行する構成としても良い。
【０１０３】
この場合は、図５の処理フロー図における通電処理（ステップｎ４）はそのままでも良いが、ステップｎ３とステップｎ５の間で実行するのではなくステップｎ６とステップｎ７の間に実行するように構成すると良い。
【０１０４】
これにより、コストダウンと使用スペースの省スペース化を図ると共に、利用者は撮影中に加えて編集中も周りの視線等を気にせずに編集を行うことができる。
【０１０５】
また、背景演出空間５内には、複数のカーテン装置１５をＣＣＤカメラ１９の撮影方向に多段に備えても良い。  
例えば２つのカーテン装置１５を備えた場合であれば、図８の説明図の（Ｍ）の側面図に示すように、前後方向に並べて配設すると良く、各カーテン装置１５のカーテン１５ａはそれぞれ違う模様や色で構成すると良い。
【０１０６】
これにより、背景のバリエーションを増加することができ、例えば図示するように撮影空間４に近い側のカーテン装置１５はカーテン１５ａを半分まで繰出して降ろし、遠い側のカーテン装置１５は最下まで繰出して降ろしても良い。
【０１０７】
この場合は、上下で異なる模様や色の背景を提供することができ、また、図７と共に前述した背景画像２３１ｈの領域のパターンであれば、より複雑な背景を提供することができる。
【０１０８】
例えば、撮影空間に近い側のカーテン１５ａを青色、遠い側のカーテン１５ａをピンク色に設定し、青色カーテン１５ａを半分まで降ろし、ピンク色カーテン１５ａを最後まで降ろして背景画像２３１ｈのパターンにすることができる。
【０１０９】
こうすれば、上から順に、青みがかった白（最上領域ａ１）、青（中上領域ａ２）、ピンクがかった白（中下領域ａ３）、ピンク（最下領域ａ４）となる背景を提供することができる。
【０１１０】
また、背景調光ガラス１６ａは最上領域ａ１、中上領域ａ２、中下領域ａ３、最下領域ａ４に分けず、全面の透明／不透明を切替えられるだけの構成としても良い。
【０１１１】
この場合、カーテン装置１５が１つであれば、カーテン１５ａを降ろした状態で背景調光ガラス１６ａが透明、カーテン１５ａを降ろした状態で背景調光ガラス１６ａが不透明、カーテン１５ａを巻き上げた状態で背景調光ガラス１６ａが不透明といった背景を利用者は選択できる。
【０１１２】
カーテン装置１５が複数（例えばブルーとピンクの２つ）であれば、ブルーのカーテン１５ａを降ろした状態で背景調光ガラス１６ａが透明、ブルーのカーテン１５ａを降ろした状態で背景調光ガラス１６ａが不透明、ピンクのカーテン１５ａを降ろした状態で背景調光ガラス１６ａが透明、及びピンクのカーテン１５ａを降ろした状態で背景調光ガラス１６ａが不透明といった複数種類の背景を、背景選択画面２３１（図７）にて利用者に選択させ、利用可能にすることができる。
【０１１３】
このような場合でも、高速な背景バリエーションの切替えと、撮影中の撮影空間４の秘匿性、及びそれ以外での撮影空間４の公開性による防犯性を確保することができる。
【０１１４】
また、図９の説明図の（Ｍ）の側面図に示すように、調光ガラスの透明／不透明切替ボタン２１をＣＣＤカメラ１９の下位置に備えても良い。
【０１１５】
これにより、利用者は任意のタイミングで透明／不透明の切替えが行えるため、例えば撮影空間４に入りきらない第人数で撮影するときに、全ての調光ガラス１６を透明にして撮影空間４の外にまで広がった利用者を全員撮影するといったことができる。
【０１１６】
また、図９の（Ｎ）の側面図に示すように、調光ガラス１６をカーテン装置１５より背景側に備える構成としても良い。
【０１１７】
この場合、カーテン１５ａに調光ガラス１６をレイヤーとして不透明に演出した背景画像の提供はできないが、十分なバリエーションの背景を提供することができ、また撮影中の秘匿性を確保することもできる。
【０１１８】
また、背景照明装置２２ｂは備えなくても良い。この場合でも、十分豊富なバリエーションの背景を利用して撮影でき、撮影空間４における非プレイ時の公開性とプレイ時の秘匿性を確保することができる。
【０１１９】
また、デモ中は調光ガラス１６を透明にしているが、所定のタイミングで所定時間だけ調光ガラス１６を不透明にするデモ中制御処理を設定しても良い。  
これにより、初めての利用者であっても、調光ガラス１６が不透明になることをプレイ前に理解することができる。従って、調光ガラス１６を普通のガラスと思い、撮影空間４が外から見えるため、恥ずかしさからプレイに至らないといったことを防止することができる。
【０１２０】
また、カーテン装置１５を備えない構成としても良い。この場合でも、背景調光ガラス１６ａで背景を演出することができ、調光ガラス１６（１６ａ，１６ｂ，１６ｃ）にて撮影中は撮影空間４が外部から見えないようにすることができる。
【実施例２】
【０１２１】
次に、実施例２として、複数の写真シール作成機１をネットワーク経由でサーバに接続し、写真シール作成機１にプロジェクタを備えたタイプについて説明する。
【０１２２】
この実施例２では、図１０のシステム構成図に示すように、複数台の写真シール作成機１及びサーバ５０を、電気通信回線であるインターネット８に接続し、相互に通信可能にして写真撮影編集システム４０を構成している。
【０１２３】
サーバ５０はＷＥＢサーバとして機能するコンピュータで構成しており、ＣＰＵ、ＲＯＭ、及びＲＡＭで構成する制御装置、ハードディスクで構成する記憶装置、ＣＤ−ＲＯＭドライブやフレキシブルディスクドライブといった記憶媒体を処理する記憶媒体処理装置、ＣＲＴモニタ又は液晶モニタで構成する表示装置、マウス及びキーボードで構成する入力装置、及び、ＬＡＮボードで構成する通信装置を備えている。  
なお、サーバ５０の記憶装置には、プロジェクタで投影する動画データや静止画データといった画像データを格納する画像データベースを備えている。
【０１２４】
写真シール作成機１には、図４に仮想線で示したようにプロジェクタ１８を備える。このプロジェクタ１８は、制御装置１２から受信するＲＧＢ信号に従って、画像を背景調光ガラス１６ａに投影する。
【０１２５】
プロジェクタ１８は、図９の（Ｍ）及び（Ｎ）に仮想線で示すように、撮影空間４内で天井板３の中央に投影方向を斜め下方に向けて背景調光ガラス１６ａの全面に画像を投影できるように設置する。
【０１２６】
なお、（Ｍ）のみに仮想線で示すように、編集空間７内の床面中央に投影方向を斜め上方に向けて背景調光ガラス１６ａの全面に画像を投影できるように設置しても良い。
【０１２７】
写真シール作成機１の動作としては、実施例１で説明した背景選択画面表示（ステップｐ１）において、不透明にした背景調光ガラス１６ａにプロジェクタ１８で画像を投影した状態の背景を選択可能に設定する。
【０１２８】
また、画像投影が選択された場合は、非通電処理（ステップｐ９）を実行する際に、制御装置１２がプロジェクタ１８にＲＧＢ信号を送信して選択された画像を投影する画像投影処理も実行する設定とする。
【０１２９】
さらに、撮影（ステップｐ１０）の終了後に、画像投影を終了する投影終了処理を実行する設定とする。  
他の構成及び動作については、前述した実施例１と同一であるので、その詳細な説明を省略する。
【０１３０】
以上の構成及び動作により、図１１の説明図に示すように、例えば（Ｒ）に示すように都会の夜景の静止画像を不透明状態の背景調光ガラス１６ａにプロジェクタ１８で投影し、都会の夜景を背景とした撮影画像をＣＣＤカメラ１９で取得することができる。
【０１３１】
また、都会の夜景で雪が降っている動画像を不透明状態の背景調光ガラス１６ａにプロジェクタ１８で投影し、これを背景とした撮影画像をＣＣＤカメラ１９で取得することができる。  
このように、背景のバリエーションを飛躍的に増大することができ、利用者の満足度を向上させることができる。
【０１３２】
なお、プロジェクタ１８で投影する画像データは、記憶装置１１に格納するが、この画像データをサーバ５０から適宜ダウンロードして更新する設定若しくは運用としても良い。  
これにより、新しい背景を次々に提供することができ、リピーターの確保を図ることができる。
【０１３３】
この発明の構成と、上述の実施形態との対応において、
この発明の写真撮影編集装置は、実施形態の写真シール作成機１に対応し、
以下同様に、
通電制御手段は、制御装置１２に対応し、
背景演出手段は、カーテン装置１５に対応し、
調光部材は、調光ガラス１６に対応し、
周面は、背景調光ガラス１６ａ、側面調光ガラス１６ｂ、及び出入口調光ガラス１６ｃに対応し、
編集手段は、入力装置１７に対応し、
画像投影手段は、プロジェクタ１８に対応し、
撮影手段は、ＣＣＤカメラ１９に対応し、
出力手段は、プリンタ２７に対応し、
所定タイミングは、ステップｎ２，ｎ４，ｐ８，ｐ９に対応し、
編集処理は、ステップｎ５に対応し、
撮影処理は、ステップｐ１０に対応するも、
この発明は、上述の実施形態の構成のみに限定されるものではなく、多くの実施の形態を得ることができる。
【図面の簡単な説明】
【０１３４】
【図１】写真シール作成機を表側から見た斜視図。
【図２】写真シール作成機を裏側から見た斜視図。
【図３】調光ガラスの構造を説明する説明図。
【図４】写真シール作成機の構成を示すブロック図。
【図５】写真シール作成機の全体動作を示す処理フロー図。
【図６】写真シール作成機の撮影処理での動作を示す処理フロー図。
【図７】背景選択画面の画面イメージ図。
【図８】周景の変化を説明する説明図及び他の実施例の説明図。
【図９】写真シール作成機の他の構成例を説明する説明図。
【図１０】実施例２の写真撮影編集システムのシステム構成図。
【図１１】演出した背景による撮影の様子を説明する説明図。
【符号の説明】
【０１３５】
１…写真シール作成機
４…撮影空間
１２…制御装置
１５…カーテン装置
１６…調光ガラス
１６ａ…背景調光ガラス
１６ｂ…側面調光ガラス
１６ｃ…出入口調光ガラス
１７…入力装置
１８…プロジェクタ
１９…ＣＣＤカメラ
２７…プリンタ
【図１】
2005274657.tif 000003
【図２】
2005274657.tif 000004
【図３】
2005274657.tif 000005
【図４】
2005274657.tif 000006
【図５】
2005274657.tif 000007
【図６】
2005274657.tif 000008
【図７】
2005274657.tif 000009
【図８】
2005274657.tif 000010
【図９】
2005274657.tif 000011
【図１０】
2005274657.tif 000012
【図１１】
2005274657.tif 000013